(57)【要約】      （修正有）【課題】スタッカの開口部が小さくても紙幣を取り出し易い紙幣計数機を提供する。【解決手段】紙幣を集積するホッパと、該ホッパから紙幣を１枚づつ分離して紙幣を搬送する紙幣繰り出し部と、紙幣を計数する計数センサと、該計数された紙幣を収容するスタッカと、該スタッカへ紙幣を落とし込む羽根車と、前記スタッカの開口部にスタッカへ収容された紙幣を支えるための紙幣ストッパを備えた紙幣計数機において、前記紙幣ストッパを回転可能に配置する。【選択図】図２
0003142441.tif 000002
【実用新案登録請求の範囲】
【請求項１】
紙幣を集積するホッパと、該ホッパから紙幣を１枚づつ分離して紙幣を搬送する紙幣繰り出し部と、紙幣を計数する計数センサと、該計数された紙幣を収容するスタッカと、該スタッカへ紙幣を落とし込む羽根車と、前記スタッカの開口部にスタッカへ収容された紙幣を支えるための紙幣ストッパを備えた紙幣計数機において、
前記ストッパを回転可能に配置したこと特徴とする紙幣計数機。
【請求項２】
紙幣を集積するホッパと、該ホッパから紙幣を１枚づつ分離して紙幣を搬送する紙幣繰り出し部と、紙幣を計数する計数センサと、該計数された紙幣を収容するスタッカと、該スタッカへ紙幣を落とし込む羽根車と、前記スタッカの開口部にスタッカへ収容された紙幣を支えるための紙幣ストッパを備えた紙幣計数機において、
前記紙幣ストッパを装置外側方向へ回転可能に配置するとともに、該紙幣ストッパに設けられた当接部が、常時該スタッカの開口部に設けられた位置決め部へ当接するように、弾性体からなる復帰手段によって常時スタッカ内部方向へと付勢したことを特徴とする紙幣計数機。
【考案の詳細な説明】
【技術分野】
【０００１】
本考案は、ホッパ部に集積された紙幣を１枚ずつ分離して紙幣の計数部に搬送し、計数した紙幣を羽根車によってスタッカ内に立てた状態で整列して収容する紙幣計数機のスタッカに関し、特に紙幣の取り出しを容易にする技術に関する。
【背景技術】
【０００２】
従来の紙幣計数機は、装置上部に設けられたホッパに紙幣を積載すると、このホッパの底部に設けられたキッカローラ等からなる繰出し手段によって装置内部の通路へと紙幣を一枚ずつ送り込み、通路上に設けられたセンサによって紙幣の通過枚数を計数し、さらに下方の羽根車によって、計数した紙幣を装置前面に向けて開口したスタッカへ落し、このスタッカの開口に設けられた紙幣ストッパで支えて紙幣を立てた状態で整列して収容するものである。
【０００３】
さらに、スタッカに収容された紙幣は、操作部とスタッカ開口部に設けられた紙幣ストッパとの間から指を入れて摘まんで取り出すものである。また一般にホッパの下方の装置前面には表示部と操作ボタン等からなる操作部が設けられている。
【０００４】
またこのような紙幣計数機は、近年小型化が進む一方で、金種判別機能を備える等、高機能化多機能化が進んだことから、装置全体に占める操作部の割合が大きくなってきている。たとえば、特開２００６−３２３８７９号公報には、装置前面に、大型の表示部や複数の操作ボタンからなる操作部を備えた紙幣計数機が開示されている。
【特許文献１】特開２００６−３２３８７９号公報
【考案の開示】
【考案が解決しようとする課題】
【０００５】
しかし、紙幣計数機の内部機構の改良によって装置全体が小型化する一方で、操作部が大型になると装置の前面のスタッカの開口部が小さくなり、操作部とスタッカの開口部に設けられた紙幣ストッパとの間から紙幣を取り出しにくくなる。
【０００６】
本願は、上述した問題を解決する為に考案されたものであって、それによってスタッカの開口部が小さくても紙幣を取り出し易い紙幣計数機を提供することを目的としている。
【０００７】
そこで、上記の目的を達成するために、本考案の請求項１に係る紙幣計数機は、
紙幣を集積するホッパと、該ホッパから紙幣を１枚づつ分離して紙幣を搬送する紙幣繰り出し部と、紙幣を計数する計数センサと、該計数された紙幣を収容するスタッカと、該スタッカへ紙幣を落とし込む羽根車と、前記スタッカの開口部にスタッカへ収容された紙幣を支えるための紙幣ストッパを備えた紙幣計数機において、前記ストッパを回転可能に配置する。
【０００８】
また、本考案の請求項２に係る紙幣計数機は、
紙幣を集積するホッパと、該ホッパから紙幣を１枚づつ分離して紙幣を搬送する紙幣繰り出し部と、紙幣を計数する計数センサと、該計数された紙幣を収容するスタッカと、該スタッカへ紙幣を落とし込む羽根車と、前記スタッカの開口部にスタッカへ収容された紙幣を支えるための紙幣ストッパを備えた紙幣計数機において、
前記紙幣ストッパを装置外側方向へ回転可能に配置するとともに、該紙幣ストッパに設けられた当接部が、常時該スタッカの開口部に設けられた位置決め部へ当接するように、弾性体からなる復帰手段によって常時スタッカ内部方向へと付勢する。
【考案の効果】
【０００９】
本考案によれば、スタッカの開口部を小さくしても、紙幣ストッパに対して所定の力以上の外力が加わると傾倒するようにしたから、開口部が広くなり紙幣を取り出し易くすることが出来る。
【考案を実施するための最良の形態】
【００１０】
以下、本考案の実施の形態を図面を参照して説明する。
図１は、本考案の一実施形態を示す紙幣計数機の概略斜視図である。図２は図１に示す紙幣計数機の内部構造のうち主要部分を示す概略断面図である。
【００１１】
図１に示すように本考案の一実施形態を示す紙幣計数機１は、装置の上部に紙幣を積載するホッパ２を備え、装置の前面であって前記ホッパ２の下方には、複数の操作ボタンや表示画面から成る操作部３を備えている。なお、図１に示す実施例では、紙幣計数機１の操作部３はタッチパネルから成る。
【００１２】
さらに操作部３の下流には紙幣計数機１が計数した紙幣を収容するスタッカ４が設けられている。そしてスタッカ４の開口部４ａの底部には、紙幣の飛散を防ぐと共にスタッカ４へ収容された紙幣を立てた状態で支える紙幣ストッパ６が配置されている。
【００１３】
図２に示すように、ホッパ２の底面には紙幣を装置内部へと一枚ずつ分離して搬送する紙幣繰り出し機構７が配置されている。繰り出し機構７はキッカローラと複数のローラ群によって構成されている。
【００１４】
装置内部には、紙幣の通過を検知することで紙幣を計数する光センサからなる計数センサ８が配置されている。
【００１５】
スタッカ４には、計数センサ８を通過した紙幣をスタッカ４へ落とし込む一対の羽根車５が配置されている。
【００１６】
このように構成された紙幣計数機１は、ホッパ２に紙幣を積載すると、紙幣繰り出し機構７によって装置内部の通路へと紙幣を案内し、計数センサ８によって紙幣を計数し、羽根車５によってスタッカ４へと紙幣を落とし込み、紙幣ストッパ６によって紙幣を支えることで紙幣を立った状態で収容する。
【００１７】
また、紙幣ストッパ６は、スタッカ４から紙幣を取り出すときに、装置の前面方向へ倒れるように、スタッカ４の開口部４ａに、軸を介して回転可能に支承されている。
【００１８】
図３は、第一の実施形態の紙幣計数機１の紙幣ストッパ６の詳細を説明する概略断面図である。図３の（Ａ）は、紙幣ストッパ６がスタッカ４に収容した紙幣を支える為の所定位置にある状態を示し、（Ｂ）は、紙幣ストッパ６が紙幣計数機１の外側方向（装置の前面方向）に倒れた状態を示している。
【００１９】
図３（Ａ）と（Ｂ）に示す通り、紙幣ストッパ６は、紙幣計数機１の開口部４ａの底部に軸９を介して回転可能に支承されており、紙幣ストッパ６が、紙幣を支える為の所定位置になるようにバネ１０（弾性体からなる復帰手段）によって常時付勢されている。
【００２０】
さらに、開口部４ａの底部近傍に、紙幣ストッパの可動範囲を規定する二つの位置決め部（位置決め部１１と位置決め部１２）が設けられており、紙幣ストッパ６には、位置決め部１１と当接する当接部１３と位置決め部１２に当接する当接部１４が設けられていて、二つの位置決め部によって紙幣ストッパ６の可動範囲は規制されている。
【００２１】
上述の構成によってスタッカ４の開口部４ａの底部に配置された紙幣ストッパ６は、常時、図３（Ａ）の図に示すように、バネ１０によってスタッカ４の内側方向へと付勢されることで開口部４ａの位置決め部１１へ当接部１３が当接して紙幣を支える所定位置を保持している。
【００２２】
また、図３の（Ｂ）に示すように、スタッカ４に収容された紙幣を指で摘まんで取り出す際は、摘んだ紙幣によって紙幣ストッパ６が装置本体に対して外側方向（装置の前面方向）に対してバネ１０の付勢力以上の力が加わると、紙幣ストッパ６が装置前面方向へ傾倒し、それに伴って紙幣ストッパ６に支えられている紙幣も傾倒するから、スタッカ４の開口部４ａが広くなり紙幣の取り出しが容易になる。このとき、紙幣ストッパ６は、開口部４ａの位置決め部１２へ当接部１４が当接する位置まで回転可能である。
【００２３】
また、紙幣がスタッカ４から取り出された後、紙幣ストッパ６は、バネ１０の付勢力によって、開口部４ａの位置決め部１１へ当接部１３が当接する位置である、紙幣を支える為の所定位置へと復帰する。
【図面の簡単な説明】
【００２４】
【図１】本考案の一実施形態を示す紙幣計数機の概略斜視図である。
【図２】本考案の一実施形態の紙幣計数機の内部構造のうち主要部分を示す概略断面図である。
【図３】本考案の一実施形態の紙幣計数機の紙幣ストッパの詳細を説明する概略断面図である。
【符号の説明】
【００２５】
１    紙幣計数機
２    ホッパ
３    操作部
４    スタッカ
４ａ  スタッカの開口部
５    羽根車
６    紙幣ストッパ
７    紙幣繰り出し機構
８    計数センサ
９    軸
１０  バネ
１１、１２  位置決め部
１３、１４  当接部
【図１】
0003142441.tif 000003
【図２】
0003142441.tif 000004
【図３】
0003142441.tif 000005